(57)【要約】  【課題】  外部電源用のＤＣジャック専用のコネクター及び切り替え回路やスイッチを不要とする。  【解決手段】  乾電池を電源とする電子機器に外部電源を供給するＤＣアダプター２１を、電子機器の電池室に収納可能なように乾電池の形状をした乾電池形状部２４、２５を一体に有する構成とし、一方の乾電池形状部２４の下端面に電池室の乾電池用の（＋）端子に接触可能な（＋）端子２７を設け、ＤＣアダプター２１の上端の中間部に端子取付け部２６ａを形成して（−）端子２８を設ける。一方、電子機器の電池室にＤＣアダプター２１の（−）端子２８と接触可能に（−）端子１９を設け、この（−）端子１９と乾電池用の（＋）端子を電子機器の外部電源回路に接続する。ＤＣアダプター２１が電池室に収納可能となっているので、外部電源用のＤＣジャック専用のコネクター及び切り替え回路やスイッチが不要となる。  【選択図】  図２
2005333709.tif 000002
【特許請求の範囲】
【請求項１】
乾電池を電源とする電子機器に駆動電圧を供給する機能を有するＤＣアダプター装置であって、
乾電池の代わりに電子機器の電池室に収納して使用する構成になっていることを特徴とするＤＣアダプター装置。
【請求項２】
前記電子機器の電池室に乾電池用の端子とは異なる位置に専用の端子があり、正、負の端子の一方または両方を使用して電子機器に電気を供給する機能を有することを特徴とする請求項１に記載のＤＣアダプター装置。
【請求項３】
前記電子機器の電池室に収納した状態でコードが引っ張られたときに電子機器が破損しないようにコードの中間にコネクターを用いて接続する機構を有することを特徴とする請求項１又は２に記載のＤＣアダプター装置。
【請求項４】
前記電子機器の電池室に誤って逆向きに差し込まないように、差し込み方向を規制するための形状を有することを特徴とする請求項１乃至３に記載のＤＣアダプター装置。
【発明の詳細な説明】
【技術分野】
【０００１】
本発明は、乾電池を電源とする電子機器（コードレス機器）に外部からＤＣ電源を供給するためのＤＣアダプター装置に関する。
【背景技術】
【０００２】
従来、乾電池を電源とする電子機器に家庭用のＡＣ電源に接続したＡＣ／ＤＣコンバーターからＤＣアダプターを用いて外部電源を供給することは知られている（例えば、特許文献１参照）。
【特許文献１】特開平１−２９８９１９号公報。
【発明の開示】
【発明が解決しようとする課題】
【０００３】
上記ＡＣ／ＤＣコンバーターに接続されるＤＣアダプターを乾電池と類似形状のＤＣアダプターとし、その乾電池類似形状部を電子機器の電池室に挿入して乾電池の代わりに使用することも考えられるが、その場合電気を供給する端子に乾電池用のものを使用すると、ＤＣアダプターが適合機器以外の機器に使用された場合、ＤＣアダプターの電圧が乾電池の電圧と異なることがあり、安全性が確保できない。
【０００４】
また従来、乾電池を電源とする電子機器機器にＡＣ／ＤＣコンバーターあるいはＤＣアダプターのＤＣジャック専用のコネクター（ＤＣ端子）を設けていたため、電子機器内部でＤＣ端子と電池を電気的、機械的に切り替える必要があり、コストがかかっていた。
【０００５】
本発明は、上記課題に鑑みてなされたものであり、安全性を確保しながら電池と異なる電圧にすることができると共に、ＤＣジャック専用のコネクター及び切り替え回路やスイッチが不要となるＤＣアダプター装置を提供することを目的とする。
【課題を解決するための手段】
【０００６】
請求項１に係る発明は、乾電池を電源とする電子機器に駆動電圧を供給する機能を有するＤＣアダプター装置であって、乾電池の代わりに電子機器の電池室に収納して使用する構成になっていることを特徴とする。
【０００７】
請求項１によれば、ＤＣアダプター装置が乾電池の代わりに電子機器の電池室に収納して使用する構成になっているため、外部電源用のＤＣジャック専用のコネクター及び切り替え回路やスイッチが不要となる。
【０００８】
請求項２に係る発明は、請求項１に記載のＤＣアダプター装置において、電子機器の電池室に乾電池用の端子とは異なる位置に専用の端子があり、正、負の端子の一方または両方を使用して電子機器に電気を供給する機能を有することを特徴とする。
【０００９】
請求項２によれば、電子機器の電池室に乾電池用の端子とは異なる位置にＤＣアダプター装置専用の端子があるため、このＤＣアダプターを適合機器以外の機器に使用されてもその機器に駆動電圧を供給することはない為安全性が確保できる。
【００１０】
請求項３に係る発明は、請求項１又は２に記載のＤＣアダプター装置において、電子機器の電池室に収納した状態でコードが引っ張られたときに電子機器が破損しないようにコードの中間にコネクターを用いて接続する機構を有することを特徴とする。
【００１１】
請求項３によれば、電子機器の電池室に収納した状態でコードが引っ張られたときコネクタが外れるので、電子機器が破損することがない。
【００１２】
請求項４に係る発明は、請求項１乃至３に記載のＤＣアダプター装置において、
電子機器の電池室に誤って逆向きに差し込まないように、差し込み方向を規制するための形状を有することを特徴とする。
【００１３】
請求項４によれば、ＤＣアダプター装置が差し込み方向を規制するための形状を有するため、電子機器の電池室に誤って逆向きに差し込まれることがない。
【発明の効果】
【００１４】
本発明のＤＣアダプターを使用することにより、安全性を確保しながら電池と異なる電圧にすることができ、すでに開発済みのＡＣ／ＤＣコンバーター等を使用することができるため、コストが低減される。
【００１５】
また、ＤＣジャック専用のコネクター、及び切り替え回路やスイッチが不要となるため、コストが削減でき、ＤＣジャックが無くなる事によりデザインの自由度が広がる。
【発明を実施するための最良の形態】
【００１６】
本発明を実施するための最良の形態を図１〜図６に基づいて説明する。図１にＤＣアダプターの電子機器に接続するときの様子を、図２にＤＣアダプターの外観を、図３、図４に電子機器の電池室の構成を、図５にコネクタ部を、図６にシステム構成を示す。
【００１７】
図１〜図４について、電子機器１０は、乾電池を電源とする電子機器で、２本の乾電池４１、４２または外部電源（例えば、４．２Ｖ）で動作する電子機器で、その電池室１１は、２本の乾電池４１、４２を収納又は乾電池の代わりにＤＣアダプター２１を収納し得るように構成されており、ＤＣアダプター２１を電池室１１に収納することで、ＤＣアダプター２１を用いて電子機器１０に外部電源を供給できるようにしてある。
【００１８】
ＤＣアダプター装置２０は、ＤＣアダプター（装置本体）２１と外部電源に接続するコネクター２２、及びコネクター２２とＤＣアダプター２１を接続するケーブル２３及びＤＣアダプター２１の端子２８と接触する電池室１１に設けられた端子１９等で構成されている。ＤＣアダプター２１は図２に示すように２つの乾電池形状部２４、２５と、この乾電池形状部２４、２５を一体にしている結合部２６を有し、概ね２本の乾電池を並べて一体としたような形状をしている。
【００１９】
ＤＣアダプター２１の一方の乾電池形状部２４には、その上端側に切り欠き部２４ａが形成されケーブル２２と接続されており、その下端面に乾電池の（＋）電極と略同形状をしたＤＣアダプター２１の（＋）端子２７が設けられている。また、ＤＣアダプター２１の他方の乾電池形状部２５の側面には、ＤＣアダプター２１の電池室１１への挿入方向規制用凸条部２５ａが一体に形成されており、また、その他端面に乾電池の（−）電極に似た形状の突部２５ｂが一体に形成されている。
【００２０】
また、ＤＣアダプター２１の上端部の片側に、２つの乾電池形状部２４、２５で形成される谷部を埋めた形状の端子取付け部２６ａが一体に形成され、この端子取付け部２６ａにＤＣアダプター２１の（−）端子２８が設けられている。端子２７及び２８は、それぞれＤＣアダプター２１の内部においてケーブル２３に接続されている。
【００２１】
一方、電子機器１０の電池室１１は、図３、図４に示すように、ＤＣアダプター２１の乾電池形状部２４、２５及び結合部２６が挿入可能な連通部１４を有し、電池室１１の上部片側に端子取付け部２６ａが挿入可能な切欠き部１５が設けられている。また乾電池形状部２５が入る電池用孔１３にはＤＣアダプター２１の挿入方向規制用凸条部２５ａに適合する挿入方向規制用凹条部１３ａが設けられている。
【００２２】
また、電池室１１の電池用孔１２，１３の底部１２ａ、１３ａには、それぞれ乾電池４１、４２の（＋）、（−）電極が接触する乾電池用端子１７、１８が設けられている。また、電池室１１の切欠き部１５のＤＣアダプター２１の端子取付け部２６ａと対向する面１５ａが端子取付け部１６となっており、ＤＣアダプター２１の（−）端子２８と接触可能に端子１９が設けられている。乾電池の（＋）極が接触する乾電池用の端子１７は、ＤＣアダプター２１の（＋）端子２７が接触する外部電源用（＋）端子を兼ねている。
【００２３】
外部電源装置３０は、図５に示すように、家庭用のＡＣ電源をＤＣ（例えば、４．２Ｖ）に変換するＡＣ／ＤＣコンバーター３１とＡＣ電源用のプラグ３２及びＤＣ出力用のコネクター３３等で構成されている。
【００２４】
ＤＣアダプター装置２０は、コネクター２２を外部電源装置３０側のコネクター３３に接続し、ＤＣアダプター２１を電子機器１０の電池室１１に差し込んで使用する。ＤＣアダプター２１の端子２７、２８から出力される外部電源（例えば、ＤＣ４．２Ｖ）は、ＤＣアダプター２１の端子２７、２８と接触する電池室１１の端子１７、１９を介して電子機器１０の外部電源回路（例えば、電圧安定回路）に入力し、電池室１１の蓋裏面の接続板（図示省略）で直列に接続された乾電池４１、４２の電圧と同様な安定した電圧（例えば、３．０Ｖ）に変換されて電子機器１０を動作させる。
【００２５】
本発明は上記のように構成されているので、従来電池使用の電子機器において電池室と別に設けていた外部電源接続用の端子が不要となる。
【００２６】
また、電池室１１のＤＣアダプター２１用の端子１９は、図４に示すように乾電池４１、４２を入れた場合でも乾電池４１、４２と接触しない位置にあるため、乾電池の被覆が破れていても電気的に接続されないので、安全性が確保できる。
【００２７】
また、電池室１１とＤＣアダプター２１には挿入方向規制用凹条部１３ａと凸条部が設けられているので、ＤＣアダプター２１が誤挿入されることがない。
【００２８】
また、図５に示すように、電子機器に外部電源（駆動電圧）を供給するＤＣアダプター装置のコード（３５、２３）の中間に脱着可能なコネクター（３３、２２）を設けて、一定の力がかかるとこのコネクターが外れるようにしてあるため、ＤＣアダプター２１を電子機器１０の電池室１１に収納した状態でコードが引っ張られてもてもコネクターが外れるので、電子機器１０を破損する恐れがない。
【００２９】
なお、上記では電子機器１０の電池室１１にＤＣアダプター専用の端子１９を設けて電子機器に外部電源を供給しているが、（＋）、（−）端子の一方または両方を使用し電子機器に外部電源を供給することができる。
【図面の簡単な説明】
【００３０】
【図１】ＤＣアダプターを電子機器の電池室に接続するときの様子を示す斜視図。
【図２】ＤＣアダプターの外観構成を示す斜視図。
【図３】電子機器の電池室の構成説明図。
【図４】電子機器の電池室を示す上面図。
【図５】ＡＣ／ＤＣコンバーターとＤＣアダプターとの接続方法を示す斜視図。
【図６】電子機器外部電源システム構成図。
【符号の説明】
【００３１】
１０…電子機器、  １１…電池室、  １７…乾電池用、ＤＣアダプター用共通の（＋）端子、  １８…乾電池用（−）端子、  １９…ＤＣアダプター用（−）端子、  ２０…ＤＣアダプター装置、  ２１…ＤＣアダプター（装置本体部）、  ２２…コネクター、  ２４、２５…ＤＣアダプターの乾電池形状部、  ２７…ＤＣアダプターの（＋）端子、  ２８…ＤＣアダプターの（−）端子、  ３０…外部電源装置、３１…ＡＣ／ＤＣコンバーター、４１、４２…乾電池。
【図１】
2005333709.tif 000003
【図２】
2005333709.tif 000004
【図３】
2005333709.tif 000005
【図４】
2005333709.tif 000006
【図５】
2005333709.tif 000007
【図６】
2005333709.tif 000008